(57)【要約】  本開示の目的は、放送伝送又はＩＰ伝送を受信することが可能である複合型受信機用のチャネルの伝送の管理を提案することである。装置識別子を有する少なくとも１つの受信装置への一組のテレビチャネルの伝送を最適化する方法が提案される。前記受信装置は、少なくとも放送通信手段及びＩＰ通信手段を備えている。この方法は、受信装置によって、放送伝送センターから前記放送通信手段又はＩＰ伝送センターから前記ＩＰ通信手段を介して受信するチャネル識別子を有するチャネルを選択するステップと、受信装置によって、少なくとも選択されたチャネルを含む状況メッセージを制御センターに伝送するステップと、制御センターによって、複数の受信装置から状況メッセージを受信するステップと、制御センターによって、状況メッセージから、少なくとも選択された前記チャネルを有する受信装置の数に基づいてチャネル当たりのコストを算出するステップと、最も高いコストを有するチャネルを放送伝送センターに割当て、そして他のチャネルをＩＰ伝送センターに割当てるステップと、チャネルごとに前記チャネルがどの通信手段に割当てられたかを記載する割当てリストを含む受信装置に応答メッセージを伝送するステップとを含む。【選択図】図１
2017517166.tif 000002
【特許請求の範囲】
【請求項１】
装置識別子を有する少なくとも１つの受信装置への一組のテレビチャネルの伝送を最適化する方法において、前記受信装置は少なくとも放送通信手段及びＩＰ通信手段を備えている方法であって、
受信装置によって、放送伝送センターから前記放送通信手段を介して又はＩＰ伝送センターから前記ＩＰ通信手段を介して受信するチャネル識別子を有するチャネルを選択するステップと、
前記受信装置によって、少なくとも前記選択されたチャネルを含む状況メッセージを制御センターに伝送するステップと、
前記制御センターによって、複数の受信装置から状況メッセージを受信するステップと、
前記制御センターによって、前記状況メッセージから、少なくとも選択された前記チャネルを有する受信装置の数に基づいてチャネル当たりのコストを算出するステップと、
最も高いコストを有する前記チャネルを前記放送伝送センターに割当て、そして他のチャネルを前記ＩＰ伝送センターに割当てるステップと、
応答メッセージを前記受信装置に伝送するステップであって、前記反応メッセージは、チャネルごとに、前記チャネルがどの通信手段に割当てられたかを記載する割当てリストを含むステップと、
を含む方法。
【請求項２】
前記伝送されたメッセージは前記装置識別子を含む請求項１に記載の方法。
【請求項３】
チャネルを選択する前に、前記受信装置によって、前記制御センターから、前記割当てリストを含む初期化メッセージを受信するステップを含む請求項１又は２に記載の方法。
【請求項４】
前記初期化メッセージは、１つの受信装置に関係するセッション番号を含み、前記セッション番号は、前記受信装置が前記選択されたチャネルを通信する間に前記状況メッセージに加えられる請求項３に記載の方法。
【請求項５】
前記コストは、前記チャネルによって使われる前記帯域幅に基づいて更に算出される請求項１〜４のいずれか１項に記載の方法。
【請求項６】
前記状況メッセージは前記チャネルにより使用される品質水準（ＳＤ、ＨＤ)の識別を含み、前記コストは品質水準ごとに算出される請求項１〜５のいずれか１項に記載の方法。
【請求項７】
前記反応メッセージは、前記放送通信センターによって前記放送通信手段を介してすべての受信装置に送られる請求項１〜６のいずれか１項に記載の方法。
【請求項８】
前記反応メッセージは、前記ＩＰ通信センターによって前記ＩＰ通信手段を介して各受信装置に送られる請求項１〜６のいずれか１項に記載の方法。
【請求項９】
前記反応メッセージは、前記変化により影響を受ける前記受信装置だけに送られる請求項１〜６のいずれか１項に記載の方法。
【請求項１０】
前記受信装置が前記ＩＰ通信手段を介して前記チャネルを受信していて、前記割当てリストが前記チャネルの前記放送通信手段を含む場合、前記放送通信手段の同じチャネルの可用性を受信のディスプレイに通知する請求項１〜８のいずれか１項に記載の方法。
【請求項１１】
前記通信手段のうちの１つを通して伝送されるメディアコンテンツは、主セクション及び補助セクションを含み、前記制御センターがチャネルを別の通信センターに割当てる場合に、割当ての変更は、前記チャネルの前記補助セクションの伝送の間に発生する請求項１〜１０のいずれか１項に記載の方法。
【請求項１２】
前記ＩＰ伝送センターに最初に割り当てられるチャネルは前記放送センターに再割当される請求項１に記載の方法であって、
前記ＩＰ伝送センターで、前記放送センターに最初に割り当てられる少なくとも１つのチャネルを複製するステップであって、前記少なくとも１つのチャネルは、遷移期間の間に前記放送センター及び前記ＩＰセンターの両方に割当てられているステップと、
前記放送センターで少なくとも１つのチャネルをクリアするステップと、
フリールームで、少なくとも１つのチャネルを前記放送センターに割当てるステップと、
を含む方法。
【請求項１３】
各ステップの後に、新規な割当てテーブルはデコーダに送られる請求項１２に記載の方法。
【請求項１４】
再割当されるチャネルのコンテンツは、補助セクションを検出するために分析されて、前記チャネルは、拡散及び補助セクションの間に放送からＩＰに変えられる請求項１２又は１３に記載の方法。
【請求項１５】
前記割当てテーブルは、各リストが有効である期間を表す有効期間付きで送られる請求項１４に記載の方法。
【発明の詳細な説明】
【技術分野】
【０００１】
本発明は、装置識別子を有する少なくとも１つの受信装置への一組のテレビチャネルの伝送を最適化する方法に関する。
【背景技術】
【０００２】
今日、テレビ番組用の受信装置は、複数のソースからメディアコンテンツを受信することが可能である。複合型放送ブロードバンドテレビ（ＨｂｂＴＶ）は、業界標準（ＥＴＳＩ ＴＳ １０２ ７９６）でもあり複合型デジタルテレビが放送を調和させるためのプロモーションのイニシアティブ、ＩＰＴＶでもあり、そして被接続テレビ（スマートテレビ）及びセットトップボックスを通しての未端消費者への娯楽コンテンツのブロードバンド伝達である。デジタル放送及びインターネット産業会社を再編成する、ＨｂｂＴＶコンソーシアムは、単一のユーザインタフェースによる、放送テレビ及びブロードバンドテレビの家庭への伝達のための標準を確立して、専有技術に代わるものとしてオープンプラットフォームを作成する。ＨｂｂＴＶ標準を用いる製品及びサービスは、衛星、ケーブル、又は地上のネットワーク等のいろいろな放送技術を通じて機能できる。
【０００３】
ＨｂｂＴＶは、従来の放送テレビ、インターネット、及び家庭内の被接続装置を含む、多くのいろいろなソースからのデジタル・テレビ・コンテンツが示されるのを可能にする。複合型デジタルテレビを観るために、消費者は、放送テレビ信号を受信するための少なくとも１つのチューナだけでなく、イーサネット(登録商標）を含む入力コネクタの範囲で複合型ＩＰＴＶセットトップボックスを必要とする。複合型セットトップボックスのチューナは、デジタル地上テレビ（ＤＶＢ-Ｔ、ＤＶＢ-Ｔ２）、デジタルケーブル（ＤＶＢ-Ｃ、ＤＶＢ-Ｃ２）、又はデジタル衛星（ＤＶＢ-Ｓ、ＤＶＢ-Ｓ２）互換機であり得る。
【０００４】
結果として、複合型ＩＰＴＶセットトップボックスは、ユーザにより要求されるチャネルを得るために、放送通信手段又はＩＰ通信手段を起動させる選択肢を有する。放送通信によって、我々は、ケーブル、衛星、又は電波アンテナを介して、多くの装置への同じコンテンツの伝送を理解する。これはＩＰを通じてのマルチキャストも含み、そこにおいて、特定のコンテンツは、ＩＰネットワークを通じて利用可能であり、そして複数の装置によって同時にアクセスされる（一対多数）ことができる。ＩＰ通信によって、我々は、ＩＰネットワークを介して装置の要求による伝送（一対一の）を理解する。この選択はユーザにとって透明でなければならず、そして受信装置は、どの通信手段が所与のチャネルに利用できるかについて、そしてチャネルが両方の通信手段で利用可能である場合に、各手段で利用可能である品質について決定しなければならない。
【発明の概要】
【発明が解決しようとする課題】
【０００５】
伝送側で、チャネルが放送又はＩＰで利用可能である場合、チャネルをアクセスしやすくするためのコストは同じでない。放送で、チャネル当たりの帯域幅は、通常、より広くて、チャネルを放送供給に含む決定は放送者により決定される。所与のサービスに対する周波数の割当てが、テーブル（プログラム関連テーブルＰＡＴ、プログラム・マップ・テーブルＰＭＴ）に正確に記載されなければならないので、供給のセットアップはより難しくなる。サービスが、パケット識別子ＰＩＤにより識別される複数の基本ストリーム（オーディオ、ビデオ、データ、キャプション、アクセス制御）から成り、そして複数のサービスが同じトランスポンダにより伝送されるので、これらのテーブルは、いろいろなトランスポンダのコンテンツを記載する。これらのサービスの配給を変えることは、従って面倒である。
【０００６】
反対側で、受信装置が、所与のチャネルを得るために要求をＩＰ伝送センターに送るので、ＩＰ伝送は簡単である。ＩＰ伝送センターは、要求されたチャネルを準備して、ＩＰプロトコルを使用して受信装置に送る。このチャネルは、ユーザのインターネット接続を使用する。要求されたチャネルを形成する専用パケットは、受信装置に送られる。この解決策の欠点は、この帯域幅がユーザの数とともに線形に増大するので、必要とされる帯域幅である。従って、放送通信によって大観衆を対象にすることは、より有利である。しかしながら、利用できるチャネルの増加によって、利用できる周波数及びサービスは要求を満たすのに十分でなく、そしていくつかのより機密のチャネルはＩＰ通信を介してだけアクセス可能である。どちらか一方の通信手段を使用するという決定は、通常、視聴者調査結果に基づく。
【０００７】
いろいろなチャネルを求める要求が時間とともに進展するので、ユーザが放送手段からＩＰ手段へ、その逆もアクセスできるようにするチャネルのフレキシブルな変更を可能にする機構の必要もある。
【課題を解決するための手段】
【０００８】
本説明の目的は、チャネルを放送通信手段又はＩＰ通信手段に割当てて、この種の割当てのある程度のフレキシビリティを可能にするために、異なる方法を提案することである。
【０００９】
従って、装置識別子を有する少なくとも１つの受信装置への一組のテレビチャネルの伝送を最適化する方法が提案されて、前記受信装置は少なくとも放送通信手段及びＩＰ通信手段を備えており、この方法は、
受信装置によって、放送伝送センターからの放送通信手段か又はＩＰ伝送センターからのＩＰ通信手段を介して受信したチャネル識別子を有するチャネルを選択するステップと、
受信装置によって、少なくとも選択されたチャネルを含む状況メッセージを制御センターに伝送するステップと、
制御センターによって、複数の受信装置から状況メッセージを受信するステップと、
制御センターによって、状況メッセージから、少なくとも選択された前記チャネルを有する受信装置の数に基づいてチャネル当たりのコストを算出するステップと、
最も高いコストを有するチャネルを放送伝送センターに割当てて、他のチャネルをＩＰ伝送センターに割当てるステップと、
応答メッセージを受信装置に伝送するステップであって、前記応答メッセージは、チャネルごとに、前記チャネルがどの通信手段に割当てられるかについて記述している割当てリストを含むステップとを含む。
【００１０】
一組のチャネル（又はＤＶＢ勧告に従うサービス）は、放送伝送センター及びＩＰ伝送センターに配信される。制御センターは、チャネルを各伝送センターに割当てることを担当している。このため、各伝送センターは、すべてのチャネルにアクセスして、伝送のために制御センターで特定されたものだけを選択する。
【００１１】
この方法の一態様によれば、制御センターは、受信装置から、現在使用中のチャネルのチャネル識別子を受信する。この情報は、１つのチャネルの同時受信の要求数、そして結果として、チャネルをユーザに送信するための最適な方法を決定するのに役立つ。
【００１２】
本発明の別の態様によれば、フレキシブルな方法で、各伝送センターに対するチャネルの割当てを変える方法が提供される。特に、この方法は、ＩＰ伝送センターに再割り当てするために放送伝送センターに割当てられるチャネルを可能にし、逆もまた同じである。
【００１３】
方法はまた、放送伝送センターの利用可能帯域幅が最適化されるのを可能にする。
【００１４】
本発明は添付図面によってより良く理解される。
【図面の簡単な説明】
【００１５】
【図１】本発明としての実施形態を展開できるシステムを例示する。
【図２】図１のシステムでの使用に適している受信装置を例示する。
【発明を実施するための形態】
【００１６】
図１は、伝送システムを形成するいろいろな要素を例示する。片側で、バックボーンＢＢは伝送に利用できるすべてのチャネルを載せる。このバックボーンＢＢは、少なくとも１つの放送伝送センターＢＴＣ及び少なくとも１つのＩＰ伝送センターＩＰＴＣに接続している。複数の放送伝送センターが、受信装置の一部を対象にするために、使用されて、バックボーンに接続できるものと理解される。これは、特にＩＰモードのケースであり、そこにおいて、ＩＰ伝送センターは、ＩＰチャネルストリームを形成するチャネルの一部を準備して、このストリームは、ユーザにより選択される１つのチャネルを選択して、このチャネルをユーザに伝送することを担当するローカルＩＰ伝送フロントエンドに伝送される。これらのＩＰ伝送フロントエンドは、ユーザの近くに、特に電話スイッチの中に、又は１人のユーザのＩＰ接続が多重化されるどこにでも設置される。
【００１７】
伝送システムは、ユーザの挙動を集めて、どの伝送センターが最も適当かについて決定することになっている制御センターＣＣを備える。このために、制御センターは、インターネットに接続して、メッセージを受信装置から受信して、メッセージをそれに送ることが可能である。受信装置の起動時に、要求は、割当られたチャネルのリストを得るために、制御センターＣＣに送られる。このリストは、受信装置に格納されて、選択がユーザによって行なわれるたびに使われる。リストは特定のチャネルのために使用する伝送手段についての記述を含む。受信装置は、次に、チャネルを受信するために正しい伝送手段を選択できる。実施形態によれば、リストは伝送手段のセットアップを加速できる付加的な詳述も含む。放送伝送の場合、リストはトランスポンダ識別子、即ちその周りでチャネルが変調される中心周波数を含む。ＩＰ伝送の場合、リストはこのチャネルを伝送することを担当するＩＰ伝送センターのＩＰアドレスを含む。
【００１８】
本発明によれば、受信装置ＳＴＢ１、ＳＴＢ２、ＳＴＢｎは、ユーザによって行なわれる選択を制御センターに伝える。この選択は、少なくとも現在の主チャネルの、又は代わりに現在記録されているもののような二次チャネルの、若しくはＰＩＰ機能に識別子を含む。メッセージは受信装置により生成されて、前記メッセージは、現在のチャネルの、そして、もしあれば、現在使用されている他のチャネルの識別子を含む。このメッセージは、各チャネル変更時に、又は定期的に（例えば１５分ごとに）、又は制御センターの要求に応じて制御センターに送られることができる。
【００１９】
制御センターは、１つの特定チャネルを現在使用している受信装置の数を計数することを担当する。受信装置によって送られるメッセージの繰返しを考慮して（それが１５分ごとに送られる場合に）、制御センターは、同じ情報を繰り返すメッセージを無効にすることが可能でなければならない。このために、いろいろな解決策が提案される。
【００２０】
第１の解決策は、メッセージを受信装置の固有の識別と関連付けることである。制御センターは、固有の識別ごとに、現在のチャネルの識別子（Ｄｅｖｉｃｅ＿ＩＤ,Ｃｈａｎｎｅｌ）を含むテーブルを保持する。いくつかのチャネルが単一の受信装置により用いられる場合には、メッセージは、使用する各チャネルの識別子（Ｄｅｖｉｃｅ＿ＩＤ，Ｃｈａｎｎｅｌ１，Ｃｈａｎｎｅｌ２，Ｃｈａｎｎｅｌ３）を含む。一旦このテーブルにデータを読み込むと、制御センターは各チャネルが現れる回数を計数できる。固有の識別は、受信装置に格納されてメッセージに加えられる受信装置の固有のアドレス、又は通信プロトコルによって得られる受信装置の物理アドレス（ＩＰアドレス）であり得る。
【００２１】
別の解決策は、受信装置が最初に制御センターに接続するときに制御センターによって特定の受信装置に割当てられる、セッション番号を使用することである。このセッション番号は限られた期間（例えば１時間）の間有効であり、そして制御センターが受信装置からメッセージ（Ｓｅｓｓｉｏｎ＿ＩＤ, Ｃｈａｎｎｅｌ）を受信するたびに、この期間は更新される。メッセージは、制御センターがテーブルにデータを読み込むことを可能にするこのセッション番号を含むことができる（Ｓｅｓｓｉｏｎ＿ＩＤ,Ｃｈａｎｎｅｌ,Ｅｘｐｉｒａｔｉｏｎ＿Ｔｉｍｅ）。複数のチャネルが単一の受信装置により用いられる場合には、メッセージは、使用する各チャネルの識別子（Ｓｅｓｓｉｏｎ＿ＩＤ，Ｃｈａｎｎｅｌ１，Ｃｈａｎｎｅｌ２，Ｃｈａｎｎｅｌ３）を含むことができる。メッセージを受信するたびに、終了時間は所定の値だけ進む。制御センターがチャネル当たりのエントリを計数するときに、それは、終了時間が現在の時刻より遅れているエントリを無効にする。
【００２２】
メッセージを無効にしないことも可能であるが、そうではなく、例えば一定の間隔、例えば１５分にわたって各メッセージを計数することも可能である。この場合、１５分毎に、各チャネルの受信装置の数は更新されて、割当てテーブルはそれに応じて更新されることができる。
【００２３】
受信装置から受信するメッセージによって、制御センターは、チャネルごとに、前記チャネルを現在使用している受信装置の数を有していてもよい。この情報はチャネル当たりのコストを算出するために用いられて、このコストはこのチャネルを使用する受信装置の数に直接関連する。
【００２４】
第１の実施形態によれば、コストは受信装置の数である。制御センターは、コストによってチャネルを選別できる。総利用可能帯域幅がいっぱいになるまで、最も高いコストを有するチャネルは、その場合、放送伝送センターに割当てられる。例えば、放送伝送センターは１００ＭＨｚの能力を有する。放送伝送センターに対する割当てにおいて、各チャネルの帯域幅を考慮する。チャネルは、その場合、最大の帯域幅を有するものから最小のものを有するものへ帯域幅によって選別される。チャネルは、最大帯域幅（１００ＭＨｚ）を満たすために、放送伝送にそのように割当てられる。その累積帯域幅の合計が１００Ｍｈｚを超えない第１のチャネルは、従って放送される。他のチャネルは、次に、ＩＰ伝送センターにより処理される。制御センターは、チャネルごとに、どの伝送センターを使うかに関して記載する割当てリストを作成する。この割当てリストは、次に受信装置に送られる。
【００２５】
下表に例示される一実施形態において、コストは、このチャネルによって使われる帯域幅及びインターネットを通じてそれにアクセスするユーザの数を考慮できる（ユニキャスト・コスト）。
【００２６】
【表１】
2017517166.tif 000003
【００２７】
上に例示された場合には、チャネル１８のユニキャスト・コストはＣ＿１８＝１３５´０００×４．５＝６０７．５ｋであり、そしてチャネル７のユニキャスト・コストはＣ＿７＝６０´０００×５．５＝３３０ｋである。ユニキャスト・コストの選別は、装置の数と帯域幅の組合せを考慮する。この場合、チャネル１８はチャネル７より高いコストを有し、そして、このために、チャネル７はチャネル１８より優先して放送するために選択される。
【００２８】
このリストは、いくつかの優先チャネル、即ち１つの特定の伝送手段によって常に送られるチャネルを考慮に入れることができる。プロバイダが、チャネルが放送を介して常に送られるという保証をディストリビュータと契約した場合には、このチャネルは常に放送チャネルの一部である。
【００２９】
一実施形態において、「準最適チャネル」がさもなければ無駄になる帯域幅の部分を処理するのを助けるとき、制御センターは放送チャネルのリストに準最適チャネルを含むことができる。例えば、最大帯域幅が１００Ｍｈｚであるシステムで、初めの１９のチャネルが９８Ｍｈｚを占めて、２０番目のチャネルが４Ｍｈｚを占める場合、制御センターは、帯域幅が≦２Ｍｈｚである（それは残余の利用可能な帯域幅である）次のチャネル（例えば２１番目又は２２番目、．．．）を放送することを決めることができる。
【００３０】
割当てリストは定期的に決められる。放送伝送センターに関連するリストの部分は放送伝送センターに送られ、そしてＩＰ伝送センターに関連する部分はＩＰ伝送センターに送られる。これらの伝送センターは、次に、それらのそれぞれのリストに記載のものだけを保持するために、一組のチャネルにフィルターをかける。割当てリストの変化の検出を容易にするために、それはバージョン表示を含むことができる。割当てリストが制御センターによって変えられるたびに、バージョン表示は更新される。このバージョン表示は、受信装置が、変更が以前に受け取ったリストと比較して行なわれたかどうか検出するのを助ける。そうでない場合には、受信装置はリストを単に無視するだけである。変化がリストで生じると、制御センターは、少なくとも変化によって影響を受ける１つのチャネルに現在合わせられる受信装置並びに放送及びＩＰ伝送センターにこのリストを送る。このリストがあまりしばしば変化することは、望ましくない。これが、好ましくはコスト・ランキングの変化が検出されるときに、変化が安定であるか又はなんらかの一時的なユーザの挙動に起因するだけかどうか見るために、制御センターが特定の時間待つ理由である。特定の時間後に、コスト・ランキングが安定であり、そして１つのチャネルが一方の伝達手段から他方に移動しなければならない場合、制御センターはリストを変更することを決定できる。
【００３１】
好ましい実施形態によれば、変化は２つのステップで生じる。チャネルＡを放送伝送手段からＩＰ伝送手段へ、そしてチャネルＢをＩＰ伝送手段から放送伝送手段へ移動する実施例を示す。第１のステップは、放送伝送センターの１つのチャネルを解放して、チャネルＡをＩＰ伝送センターへコピーすることである。好ましい実施形態によれば、チャネルＡは、遷移に適しているコンテンツを検出するために分析される。チャネルは、通常、主セクション及び補助セクションを含む。主セクションは、ユーザの期待するコンテンツ、例えば映画、スポーツイベント、ドキュメンタリーなどである。補助コンテンツは、主に広告セクションである。制御センターは、変化を含む割当てリストを送るために、補助セクションを検出するか、又はこれが起こるまで待つ。補助セクションが検出されるときに、チャネルＡは放送からＩＰに変わることができる。これは、更新された割当てリストを放送伝送センター及びＩＰ伝送センターに送ることにより行なわれる。円滑な変化を可能にするために、ＩＰ伝送センターは、チャネルＡをそのオファーに含んで、チャネルＡを放送伝送センターに保持するために、最初に知らされることができる。この遷移期間の間に、チャネルＡは両方の伝送手段を介して利用できる。並行して、更新されたリストは受信装置に送られて、それらがチャネルＡの補助セクションにおいて放送からＩＰに変わることを可能にする。
【００３２】
すべての受信装置に知らせる時間を有するのに十分長いように定めることができるこの遷移期間の後に、第２のステップは起こり得る。チャネルＢは、補助セクションを検出するために分析される。一旦見つかると、割当てリストは変えられて、更新されたリストは、チャネルＡをチャネルＢと置き換えるために放送伝送センターに送られる。その時、受信装置がＩＰ伝送手段へ切り替えなかった場合、それはもはやこのチャネルを受信することができない。一旦放送センターが、チャネルＢが放送中であることを確認すると、制御センターは、チャネルＢのための新規な割当てを含む更新されたリストを受信装置に送る。その時、ＩＰセンターはチャネルＢを受信装置にまだ提案し続ける。遷移段階の満了の後、ＩＰ伝送センターは、チャネルＢを停止させるために制御センターにより通知される。
【００３３】
このシナリオをより容易にして、通信の数を最小化するために、制御センターは、各リストが有効である期間を示す有効期間（リスト当たり１つ）と共に２つの更新された割当てテーブルを送ることもできる。
【００３４】
第１の実施形態によれば、チャネルの再割当ての間に、又はその終了時にコンテンツの同期がない。これらのチャネルのコンテンツは、伝送手段の技術的制約に従って送信されて、見られる。
【００３５】
第２の実施形態によれば、コンテンツの同期は、チャネルの再割当ての間に、又はその終了時に行なわれる。この実施形態において、チャネルはそのコンテンツ内の特定の場所を識別する手段を含む。これらの手段は、例えばＩ-フレームのインデックス、ストリーム又はタイムスタンプに統合されるマークであり得る。チャネルが１つの伝送手段から別の手段に移動するときに、特定の場所を識別する手段は、停止されたチャネルが特定の伝送手段により伝送される場所を格納するために用いる。コンテンツは、次に、その格納された場所から他の伝送手段により伝送される。バッファは、好ましくは、コンテンツの一部を格納して、伝送手段の間の遷移を容易にするために受信手段に統合される。コンテンツの短い一部が、遷移の間だけでなく、常に格納されることができる点に留意する必要がある。
【００３６】
割当てリストは、付加的情報を更に含むことができる。受信装置は、現在のチャネルだけでなく物理的受信制約も送ることができる。受信装置がＩＰを介して４Ｍｂｐｓの最大帯域幅を受信できるだけである場合には、上記リストのチャネル７を放送からＩＰへ動かすことは、この受信装置に否定的な結果をもたらすことがあり得る。制御センターは、この変化の受信装置への影響を更に評価することができて、多数の装置がこのより高い帯域幅を提供することができない場合には、装置の数が他のチャネルより少ないとしても、放送伝送センターにチャネル７を保持することを決めることができる。このために、制限、例えば１０％が制御センターでセットされることができて、その結果、装置の１０％以上がこの変化に追随することが可能でない場合に、変化を妨げることがあり得る。
【００３７】
受信装置が必ずしもセットトップボックスではない点に留意する必要がある。それはコンピュータ又はモバイル機器でさえあり得る。後者は、ＤＶＢ-Ｈ（放送）を介して、又はデータリンク（３Ｇ、４Ｇ、又はＷｉｆｉ）を介してコンテンツを得ることができる。同様に、コンテンツは、視聴覚コンテンツに必ずしも限られているというわけではなくて、衛星を通じて代わりに放送されるか又はユニキャスト・データ・リンクを通じて送られることが可能である一般的なデータコンテンツであり得る。
【００３８】
図２は、２つの伝送手段が示される受信装置を例示する。ＩＰ伝送手段ＩＰ＿ＴＭは、ＩＰモードのチャネルの受信を担当し、そしてデータは、例えばＴＳパケットストリームを生成するＩＰ処理モジュールに伝えられる。同じことは、放送受信手段ＢＤ＿ＴＭにあてはまり、受信データは放送処理モジュールＢＤ＿ＰＲに伝えられる。このモジュールは、ＴＳパケットストリームを生成する。図示の実施形態では、２つのバッファＢＰ＿ＰＵ及びＩＰ＿ＢＵ（伝送手段当たり１つ）が示される。バッファは、２つの伝送手段の間で途切れのない遷移を達成するために存在する。伝送時間が伝送手段ごとに異なることが知られている。放送処理モジュールの出力をＩＰ処理モジュールの出力と比較すると、コンテンツには最高５００ｍｓの時間差があり得る。バッファは、次に、例えばＩ-フレームを識別するパケットヘッダを検出することによって両方のコンテンツを再同期させるために用いる。変化が生じなければならないときに、他の伝送手段のバッファは、同じパケットがどの位置に存在するかについて検出するために分析される。一旦検出されると、処理モジュールの両方の出力が同期するように、バッファのポインタは変更される。選択モジュール（ＳＬ）は、次に、１つのソースから他のものへ切り替えることができて、コンテンツを圧縮解除モジュールＰＲに伝えることができる。
【図１】
2017517166.tif 000004
【図２】
2017517166.tif 000005
【国際調査報告】
2017517166.tif 000006
2017517166.tif 000007
2017517166.tif 000008